(57)【要約】  本技術の一形態に係る画像表示装置は、光源部と、第１のセンサ部と、第２のセンサ部と、光源制御部とを具備する。前記光源部は、出射光を出射する。前記第１のセンサ部は、第１の領域に配置され、前記出射光の状態を検出可能である。前記第２のセンサ部は、前記第１の領域よりも塵埃の影響が小さい第２の領域に配置され、前記出射光の状態を検出可能である。前記光源制御部は、前記第１のセンサ部による第１の検出結果、及び前記第２のセンサ部による第２の検出結果に基づいて、前記光源部を制御可能である。
2019111492.tif 000002
【特許請求の範囲】
【請求項１】
出射光を出射する光源部と、
第１の領域に配置され、前記出射光の状態を検出可能な第１のセンサ部と、
前記第１の領域よりも塵埃の影響が小さい第２の領域に配置され、前記出射光の状態を検出可能な第２のセンサ部と、
前記第１のセンサ部による第１の検出結果、及び前記第２のセンサ部による第２の検出結果に基づいて、前記光源部を制御可能な光源制御部と
を具備する画像表示装置。
【請求項２】
請求項１に記載の画像表示装置であって、
前記第２の領域は、前記第１の領域よりも塵埃量が少ない領域である
画像表示装置。
【請求項３】
請求項１に記載の画像表示装置であって、さらに、
外部の空気を吸入する吸気口を有する筐体部を具備し、
前記第１の領域は、前記吸気口から吸入される前記外部の空気の流路、又は前記外部の空気の流路の近傍に設けられ、
前記第２の領域は、前記外部の空気の流路から離れた位置に設けられる
画像表示装置。
【請求項４】
請求項１に記載の画像表示装置であって、
前記第２の領域は、密閉された空間、又は前記外部の空気の進入が規制された空間に設けられる
画像表示装置。
【請求項５】
請求項１に記載の画像表示装置であって、
前記光源制御部は、前記光源部から出射される前記出射光の強度が一定に維持されるように、前記光源部を制御する
画像表示装置。
【請求項６】
請求項１に記載の画像表示装置であって、
前記光源部は、電流が供給されることにより駆動する１以上の光源を有し、
前記光源制御部は、前記第１の検出結果、及び前記第２の検出結果に基づいて、前記１以上の光源に供給される電流を制御する
画像表示装置。
【請求項７】
請求項１に記載の画像表示装置であって、さらに、
前記第１のセンサ部に関する第１の参照情報、及び前記第２のセンサ部に関する第２の参照情報を記憶する記憶部を具備し、
前記光源制御部は、前記第１の検出結果、前記第２の検出結果、前記記憶された第１の参照情報、及び前記記憶された第２の参照情報に基づいて、前記光源部を制御する
画像表示装置。
【請求項８】
請求項７に記載の画像表示装置であって、
前記光源制御部は、前記第１の参照情報と前記第２の参照情報との相関、及び前記第１の検出結果と前記第２の検出結果との相関に基づいて、前記光源部を制御する
画像表示装置。
【請求項９】
請求項７に記載の画像表示装置であって、
前記第１の参照情報は、基準となる状態の前記出射光が出射される場合に前記第１のセンサ部により検出される検出結果であり、
前記第２の参照情報は、前記基準となる状態の前記出射光が出射される場合に前記第２のセンサ部により検出される検出結果である
画像表示装置。
【請求項１０】
請求項７に記載の画像表示装置であって、
前記光源制御部は、前記第１の検出結果、前記第２の検出結果、前記記憶された第１の参照情報、及び前記記憶された第２の参照情報に基づいて、前記第１の検出結果を補正する
画像表示装置。
【請求項１１】
請求項１０に記載の画像表示装置であって、
前記光源部は、電流が供給されることにより駆動する１以上の光源を有し、
前記光源制御部は、前記補正された前記第１の検出結果に基づいて、前記１以上の光源に供給される電流を制御する
画像表示装置。
【請求項１２】
請求項１に記載の画像表示装置であって、
前記光源部は、電流が供給されることにより駆動する１以上の光源を有し、
前記光源制御部は、前記第２の検出結果に基づいて、前記１以上の光源に供給される電流を制御する
画像表示装置。
【請求項１３】
請求項１に記載の画像表示装置であって、
前記光源部は、１以上の光源と、前記１以上の光源から出射される光により励起され可視光を発する発光体とを有し、前記１以上の光源からの光と前記発光体からの可視光とを含む光を、前記出射光として出射する
画像表示装置。
【請求項１４】
請求項１３に記載の画像表示装置であって、
前記光源部は、窓部を有し内部に密閉された空間を形成する密閉部を有し、
前記発光体は、前記密閉された空間に配置され、
前記第２のセンサ部は、前記密閉部の前記窓部に対向して配置される
画像表示装置。
【請求項１５】
請求項１に記載の画像表示装置であって、さらに、
前記光源部から出射された前記出射光に基づいて画像を生成する画像生成部と、
前記画像生成部により生成された画像を投射する投射部と
を具備する画像表示装置。
【発明の詳細な説明】
【技術分野】
【０００１】
本技術は、プロジェクタ等の画像表示装置に関する。
【背景技術】
【０００２】
従来からプロジェクタ等の画像表示装置が広く用いられている。例えば光源からの光が液晶素子等の光変調素子により変調され、その変調光がスクリーン等に投影されることで画像が表示される。光源としては、水銀ランプ、キセノンランプ、ＬＥＤ（Light Emitting Diode）やＬＤ（Laser Diode）等が用いられる。このうちＬＥＤやＬＤ等の固体光源は寿命が長く従来のようなランプ交換が不要であり、また電源を入れて即時に点灯するといった利点を有する。【０００３】
特許文献１には、ＲＧＢの各色光を変調する３つの液晶表示ユニットと、ＲＧＢの各色の変調光（画像光）を合成する光合成部とを有する画像表示装置が記載されている。この画像表示装置では、液晶表示ユニットから出射される変調光の所定の次数の回折光の光路上にセンサが配置される。センサにより回折光をセンサリングすることで、簡単な構造で高精度にホワイトバランスや輝度等のキャリブレーションを実行することが可能となる（特許文献１の明細書段落［００３１］［００３３］［００８２］［００８３］図２等）。
【先行技術文献】
【特許文献】
【０００４】
【特許文献１】特開２０１５−７９２０８号公報
【発明の概要】
【発明が解決しようとする課題】
【０００５】
プロジェクタ等の画像表示装置では、光源の経年劣化等により輝度が低下してしまうことがある。このような問題を防止するために光源を高精度に制御することを可能とする技術が求められている。【０００６】
以上のような事情に鑑み、本技術の目的は、光源を高精度に制御することが可能な画像表示装置を提供することにある。
【課題を解決するための手段】
【０００７】
上記目的を達成するため、本技術の一形態に係る画像表示装置は、光源部と、第１のセンサ部と、第２のセンサ部と、光源制御部とを具備する。
前記光源部は、出射光を出射する。
前記第１のセンサ部は、第１の領域に配置され、前記出射光の状態を検出可能である。
前記第２のセンサ部は、前記第１の領域よりも塵埃の影響が小さい第２の領域に配置され、前記出射光の状態を検出可能である。
前記光源制御部は、前記第１のセンサ部による第１の検出結果、及び前記第２のセンサ部による第２の検出結果に基づいて、前記光源部を制御可能である。【０００８】
この画像表示装置では、第１の領域に第１のセンサ部が配置され、第１の領域よりも塵埃の影響が小さい第２の領域に第２のセンサ部が配置される。第１及び第２のセンサ部の各々の検出結果を利用することで、光源部を高精度に制御することが可能となる。【０００９】
前記第２の領域は、前記第１の領域よりも塵埃量が少ない領域であってもよい。【００１０】
前記画像表示装置は、さらに、外部の空気を吸入する吸気口を有する筐体部を具備してもよい。この場合、前記第１の領域は、前記吸気口から吸入される前記外部の空気の流路、又は前記外部の空気の流路の近傍に設けられてもよい。また前記第２の領域は、前記外部の空気の流路から離れた位置に設けられてもよい。【００１１】
前記第２の領域は、密閉された空間、又は前記外部の空気の進入が規制された空間に設けられてもよい。【００１２】
前記光源制御部は、前記光源部から出射される前記出射光の強度が一定に維持されるように、前記光源部を制御してもよい。【００１３】
前記光源部は、電流が供給されることにより駆動する１以上の光源を有してもよい。この場合、前記光源制御部は、前記第１の検出結果、及び前記第２の検出結果に基づいて、前記１以上の光源に供給される電流を制御してもよい。【００１４】
前記画像表示装置は、さらに、前記第１のセンサ部に関する第１の参照情報、及び前記第２のセンサ部に関する第２の参照情報を記憶する記憶部を具備してもよい。この場合、前記光源制御部は、前記第１の検出結果、前記第２の検出結果、前記記憶された第１の参照情報、及び前記記憶された第２の参照情報に基づいて、前記光源部を制御してもよい。【００１５】
前記光源制御部は、前記第１の参照情報と前記第２の参照情報との相関、及び前記第１の検出結果と前記第２の検出結果との相関に基づいて、前記光源部を制御してもよい。【００１６】
前記第１の参照情報は、基準となる状態の前記出射光が出射される場合に前記第１のセンサ部により検出される検出結果であってもよい。この場合、前記第２の参照情報は、前記基準となる状態の前記出射光が出射される場合に前記第２のセンサ部により検出される検出結果であってもよい。【００１７】
前記光源制御部は、前記第１の検出結果、前記第２の検出結果、前記記憶された第１の参照情報、及び前記記憶された第２の参照情報に基づいて、前記第１の検出結果を補正してもよい。【００１８】
前記光源制御部は、前記補正された前記第１の検出結果に基づいて、前記１以上の光源に供給される電流を制御してもよい。【００１９】
前記光源制御部は、前記第２の検出結果に基づいて、前記１以上の光源に供給される電流を制御してもよい。【００２０】
前記光源部は、１以上の光源と、前記１以上の光源から出射される光により励起され可視光を発する発光体とを有し、前記１以上の光源からの光と前記発光体からの可視光とを含む光を、前記出射光として出射してもよい。【００２１】
前記光源部は、窓部を有し内部に密閉された空間を形成する密閉部を有してもよい。この場合、前記発光体は、前記密閉された空間に配置されてもよい。また前記第２のセンサ部は、前記密閉部の前記窓部に対向して配置されてもよい。【００２２】
前記画像表示装置は、さらに、画像生成部と、投射部とを具備してもよい。
前記画像生成部は、前記光源部から出射された前記出射光に基づいて画像を生成する。
前記投射部は、前記画像生成部により生成された画像を投射する。
【発明の効果】
【００２３】
以上のように、本技術によれば、光源を高精度に制御することが可能となる。なお、ここに記載された効果は必ずしも限定されるものではなく、本開示中に記載されたいずれかの効果であってもよい。
【図面の簡単な説明】
【００２４】
【図１】一実施形態に係る画像表示装置の構成例を示す概略図である。
【図２】画像生成部及び投射部の構成例を示す概略図である。
【図３】光源部の構成例を示す斜視図である。
【図４】光源部の内部の構成例を模式的に示す図である。
【図５】光源ユニットの構成例を示す斜視図である。
【図６】蛍光体ユニットによる白色光Ｗの生成を説明するための図である。
【図７】第２の検出結果に基づいた輝度一定制御の一例を示すフローチャートである。
【図８】第１及び第２の検出結果に基づいた輝度一定制御の一例を示すフローチャートである。
【図９】第１及び第２の検出結果に基づいた輝度一定制御の基本概念を説明するための模式的なグラフである。
【発明を実施するための形態】
【００２５】
以下、本技術に係る実施形態を、図面を参照しながら説明する。
【００２６】
［画像表示装置］
図１は、本技術の一実施形態に係る画像表示装置の構成例を示す概略図である。以下の説明では、画像表示装置５００の左右方向、前後方向、及び高さ方向を、Ｘ方向、Ｙ方向及びＺ方向として説明を行う。もちろんこのような方向の設定に限定される訳ではない。
【００２７】
画像表示装置５００は、例えばプレゼンテーション用、もしくはデジタルシネマ用のプロジェクタとして用いられる。その他の用途に用いられる任意の画像表示装置に、以下に説明する本技術は適用可能である。
【００２８】
画像表示装置５００は、光源部１００と、画像生成部２００と、投射部４００と、筐体部４５０と、センサ機構４７０とを有する。
【００２９】
光源部１００は、画像生成部２００に向けて出射光を出射する。画像生成部２００は、光源部１００から出射された出射光に基づいて画像を生成する。投射部４００は、画像生成部２００により生成された画像をスクリーン等に投射する。
【００３０】
筐体部４５０は、外枠部４５１と、吸気口４５２と、排気口４５３とを有する。外枠部４５１は、光源部１００、画像生成部２００、及び投射部４００を囲むように構成される。外枠部４５１は略直方体形状を有し、前面部４５４、背面部４５５、側面部４５６、底面部４５７、及び上面部を有する。なお図１では、上面部の図示が省略されている。
【００３１】
吸気口４５２は、外枠部４５１の２つの側面部４５６ａ及び４５６ｂのうち一方の側面部４５６ａに形成され、外部の空気を吸入する。排気口４５３は、２つの側面部４５６ａ及び４５６ｂのうち他方の側面部４５６ｂに形成され、吸気口４５２から吸入された空気を排出する。本実施形態では、吸気口４５２及び排気口４５３は、前面部４５４から背面部４５５に向かう前後方向（Ｙ方向）に延在する長方形状に形成される。
【００３２】
吸気口４５２から外部の空気が冷却風として吸入され、画像表示装置５００の内部に供給される。画像表示装置５００の内部を冷却して暖かくなった空気は、排気口４５３から外部に排出される。外部の空気が効率よく画像表示装置５００内を流れるように、吸気口４５２の近傍や排気口４５３の近傍にファン機構等が設けられてもよい。
【００３３】
センサ機構４７０は、第１のセンサ部４７１と、第２のセンサ部４７２とを有する。第１のセンサ部４７１は、画像生成部２００内に配置される。第２のセンサ部４７２は、光源部１００の近傍に配置される。第１及び第２のセンサ部４７１及び４７２は、光源部１００から出射される出射光の状態を検出することが可能である。本実施形態では、出射光の状態として、出射光の強度（輝度）が検出される。
【００３４】
第１及び第２のセンサ部４７１及び４７２の具体的な構成は限定されず、任意の輝度センサが用いられてよい。もちろん、複数のセンサにより構成されたアレイセンサや、ＣＭＯＳセンサやＣＣＤセンサ等のイメージセンサが用いられてもよい。
【００３５】
なお光の状態を検出するとは、検出対象となる光の状態を検出可能な任意の方法を含む。例えば検出対象となる光に含まれる一部の光の状態を検出する方法や、検出対象となる光の漏れ光や回折光等の状態を検出する方法等も含まれる。
【００３６】
また画像表示装置５００は、画像表示装置５００の動作を包括的に制御するコントローラ（制御部）４９０を有する（図２参照）。コントローラ４９０は、例えばＣＰＵやメモリ（ＲＡＭ、ＲＯＭ）等のコンピュータに必要なハードウェア構成を有する。ＣＰＵがメモリ等に記憶されている制御プログラム等をＲＡＭにロードして実行することにより、種々の処理が実行される。
【００３７】
コントローラ４９０として、例えばＦＰＧＡ（Field Programmable Gate Array）等のＰＬＤ(Programmable Logic Device)、その他ＡＳＩＣ（Application Specific IntegratedCircuit）等のデバイスが用いられてもよい。またコントローラ４９０が配置される箇所等も限定されず、適宜設計されてよい。
【００３８】
本実施形態では、コントローラ４９０のＣＰＵが所定のプログラムを実行することにより、光源制御部４９１が実現される（図２参照）。光源制御部４９１を実現するために、ＩＣ（集積回路）等の専用のハードウェアが適宜用いられてもよい。また本実施形態では、コントローラ４９０のメモリ等により記憶部が実現される。もちろんコントローラ４９０とは別に、ＲＯＭやＨＤＤ等により記憶部が構成されてもよい。
【００３９】
図２は、画像生成部２００及び投射部４００の構成例を示す概略図である。図２に示すように、外枠部４５１の背面部４５５から前面部４５４にかけて光源部１００、画像生成部２００、及び投射部４００が配置される。投射部４００は、その出射面４０１が前面部４５４から外部側に突出するように配置される。
【００４０】
本実施形態では、光源部１００により、出射光として、赤色光、緑色光、及び青色光を含む白色光Ｗが出射される。そして画像生成部２００により、光源部１００から出射された白色光Ｗに基づいて画像が生成される。
【００４１】
画像生成部２００は、インテグレータ光学系２１０と、照明光学系２２０とを有する。インテグレータ光学系２１０は、インテグレータ素子２１１と、偏光変換素子２１２と、集光レンズ２１３とを有する。
【００４２】
インテグレータ素子２１１は、二次元に配列された複数のマイクロレンズを有する第１のフライアイレンズ２１１ａと、その複数のマイクロレンズに一つずつ対応するように配列された複数のマイクロレンズを有する第２のフライアイレンズ２１１ｂとを有する。
【００４３】
インテグレータ素子２１１に入射した白色光Ｗは、第１のフライアイレンズ２１１ａのマイクロレンズによって複数の光束に分割され、第２のフライアイレンズ２１１ｂに設けられた対応するマイクロレンズにそれぞれ結像される。第２のフライアイレンズ２１１ｂのマイクロレンズのそれぞれが二次光源として機能し、輝度がった複数の平行光を、後段の偏光変換素子２１２に出射する。
【００４４】
偏光変換素子２１２は、インテグレータ素子２１１を介して入射する入射光の偏光状態を揃える機能を有する。偏光変換素子２１２を通った光は、集光レンズ２１３を介して照明光学系２２０に出射される。
【００４５】
インテグレータ光学系２１０は、全体として、照明光学系２２０へ向かう白色光Ｗを均一な輝度分布に整え、偏光状態の揃った光に調整する機能を有する。インテグレータ光学系２１０の具体的な構成は限定されない。
【００４６】
照明光学系２２０は、ダイクロイックミラー２３０、２４０、２５０、２６０及び２７０、フィールドレンズ２８０Ｒ、２８０Ｇ及び２８０Ｂ、リレーレンズ２９０及び３００、画像生成素子としての液晶ライトバルブ３１０Ｒ、３１０Ｇ及び３１０Ｂ、ダイクロイックプリズム３２０を含んでいる。
【００４７】
ダイクロイックミラー２３０〜２７０は、所定の波長域の色光を選択的に反射し、それ以外の波長域の光を透過させる性質を有する。ダイクロイックミラー２３０は、白色光Ｗに含まれる緑色光Ｇ１及び青色光Ｂ１を選択的に反射し、白色光Ｗに含まれる赤色光Ｒ１を透過させる。
【００４８】
ダイクロイックミラー２４０は、ダイクロイックミラー２３０により反射された緑色光Ｇ１を選択的に反射し、青色光Ｂ１を透過させる。これにより異なる色光は、それぞれ異なる光路に分離される。なおＲＧＢの各色光を分離するための構成や、用いられるデバイス等は限定されない。
【００４９】
分離された赤色光Ｒ１は、ダイクロイックミラー２５０により反射され、フィールドレンズ２８０Ｒにより平行化された後、赤色光の変調用の液晶ライトバルブ３１０Ｒに入射する。緑色光Ｇ１は、フィールドレンズ２８０Ｇにより平行化された後、緑色光の変調用の液晶ライトバルブ３１０Ｇに入射する。
【００５０】
青色光Ｂ１はリレーレンズ２９０を通ってダイクロイックミラー２６０によって反射され、さらにリレーレンズ３００を通ってダイクロイックミラー２７０によって反射される。ダイクロイックミラー２７０により反射された青色光Ｂ１は、フィールドレンズ２８０Ｂにより平行化された後、青色光の変調用の液晶ライトバルブ３１０Ｂに入射する。
【００５１】
液晶ライトバルブ３１０Ｒ、３１０Ｇ及び３１０Ｂは、画像情報を含んだ画像信号を供給する図示しない信号源（例えばＰＣ等）と電気的に接続されている。液晶ライトバルブ３１０Ｒ、３１０Ｇ及び３１０Ｂは、供給される各色の画像信号に基づき、入射光を画素毎に変調し、それぞれ赤色画像、緑色画像及び青色画像を生成する。変調された各色の光（形成された画像）は、ダイクロイックプリズム３２０に入射して合成される。ダイクロイックプリズム３２０は、３つの方向から入射した各色の光を重ね合わせて合成し、投射部４００に向けて出射する。
【００５２】
投射部４００は、画像生成部２００により生成された画像を投射する。投射部４００は、複数のレンズ４１０等を有し、ダイクロイックプリズム３２０によって合成された光を図示しないスクリーン等に投射する。これによりフルカラーの画像が表示される。投射部４００の具体的な構成は限定されない。
【００５３】
図３は、光源部１００の構成例を示す斜視図である。図４は、光源部１００の内部の構成例を模式的に示す図である。光源部１００は、光源ユニット１０と、光学系ユニット２０と、蛍光体ユニット３０と、これらを支持するベース部５０とを有する。
【００５４】
白色光Ｗが出射される側を前方側とし、その反対側を後方側とする。光源ユニット１０、光学系ユニット２０、及び蛍光体ユニット３０は、後方側から前方側にかけて、この順で並ぶようにベース部５０に支持される。なお図４では、ベース部５０の図示は省略されている。
【００５５】
ベース部５０は、左右方向（Ｘ方向）に延在する細長い形状を有する。ベース部５０には、光源ユニット１０、光学系ユニット２０、及び蛍光体ユニット３０を支持するための支持機構が構成される。支持機構の具体的な構成は限定されず、任意に設計されてよい。
【００５６】
図５は、光源ユニット１０の構成例を示す斜視図である。図４及び図５に示すように、光源ユニット１０は、Ｘ方向に並ぶ２つの光源ブロック１１と、その後方側に配置されたヒートシンク１２とを有し、これらが１つのユニットとして構成されている。
【００５７】
各光源ブロック１１は、電流が供給されることにより駆動する複数のレーザ光源（レーザダイオード）１３を有する。複数のレーザ光源１３は、前後方向を光軸方向として、前方側に向けてレーザ光が出射されるように配置される。
【００５８】
本実施形態では、複数のレーザ光源１３として、例えば４００ｎｍ−５００ｎｍの波長範囲内に発光強度のピーク波長を有する青色レーザ光Ｂ２を発振可能な青色レーザ光源が用いられる。本実施形態において、複数のレーザ光源１３は、１以上の光源に相当する。
【００５９】
１以上の光源として、ＬＥＤ等の他の固体光源が用いられてもよい。また水銀ランプ、キセノンランプ等が用いられる場合でも、本技術は適用可能である。また出射される光の波長域も限定されず、任意に設定されてよい。
【００６０】
図４に示すように、光学系ユニット２０は、密閉空間Ｓ１を形成する筐体部２１と、密閉空間Ｓ１内に収容される集光光学系２２とを有する。筐体部２１の後方側の面の、光源ブロック１１に対向する位置には、青色レーザ光Ｂ２が入射する２つの入射口２３が形成される。筐体部２１の前方側の面には、集光光学系２２により集光された青色レーザ光Ｂ２が出射される出射口２４が形成される。
【００６１】
２つの入射口２３、及び出射口２４は、ガラスやプラスチック等からなる任意の透明部材により密閉されている。なお入射口２３、及び出射口２４が開口しており、光源ユニット１０及び蛍光体ユニット３０と接続されることで、密閉空間Ｓ１が実現されてもよい。
【００６２】
集光光学系２２は、２つの非球面ミラー２５（図中では板状に図示されている）と、２つの平面ミラー２６とを有する。非球面ミラー２５は、前後方向に沿って入射口２３に入射する青色レーザ光Ｂ２を折り返すように反射して集光する。平面ミラー２６は、非球面ミラー２５により反射された光を、出射口２４に向けて反射する。集光光学系２２の構成は限定されず、任意の構成が採用されてよい。
【００６３】
蛍光体ユニット３０は、密閉空間Ｓ２を形成する筐体部３１と、密閉空間Ｓ２内に収容されるホイール部３３と、出射レンズ３４とを有する。筐体部３１の後方側の面には、光学系ユニット２０の出射口２４から出射された青色レーザ光Ｂ２が入射する入射口３５が形成される。筐体部３１の前方側の面には、白色光Ｗが出射される出射口３６が形成される。出射口３６は、出射レンズ３４により密閉されている。
【００６４】
また筐体部３１の前方側の面には、窓部３７が形成されている。入射口３５、及び窓部３７は、ガラスやプラスチック等からなる透明部材により密閉されている。本実施形態において、筐体部３１は、窓部を有し内部に密閉された空間を形成する密閉部として機能する。なお入射口３５が開口しており、光学系ユニット２０と接続されることで、密閉空間Ｓ２が実現されてもよい。この場合、筐体部３１及び２１により、密閉部が実現される。
【００６５】
ホイール部３３は、蛍光体ホイール３８と、モータ３９とを有する。蛍光体ホイール３８は、入射口３５に入射する青色レーザ光Ｂ２が所定のポイントに集光する位置に配置される。モータ３９は、フレキシブル基板等を介して供給される電力により駆動し、蛍光体ホイール３８を回転させる。
【００６６】
図６は、蛍光体ユニット３０による白色光Ｗの生成を説明するための図である。蛍光体ホイール３８は、青色レーザ光Ｂ２を透過させる円盤形状の基板４１と、その基板４１上に設けられた蛍光体層４２とを有する。基板４１としては、例えば水晶やサファイア等の結晶性部材が用いられる。
【００６７】
蛍光体層４２は、複数のレーザ光源１３により出射される青色レーザ光Ｂ２によって励起されて可視光を発する蛍光物質を含んでいる。本実施形態では、蛍光体層４２により、青色レーザ光Ｂ２の一部が、赤色波長域から緑色波長域までを含む波長域の光（すなわち黄色光）に変換される。また蛍光体層４２は、青色レーザ光Ｂ２の一部をそのまま透過させる。従って蛍光体層４２からは、青色の励起光と黄色の蛍光とを含む光が出射される。
【００６８】
蛍光体層４２に含まれる蛍光物質としては、例えばＹＡＧ（イットリウム・アルミニウム・ガーネット）系蛍光体が用いられる。なお、蛍光物質の種類、励起光の波長域、及び励起により発生される可視光の波長域は限定されない。
【００６９】
本実施形態において、蛍光体層４２は、複数のレーザ光源１３から出射される青色レーザ光Ｂ２により励起されて可視光を発する発光体に相当する。発光体として、蛍光体とは異なる他の任意の物質が用いられてもよい。
【００７０】
モータ３９は、基板４１の中心に接続される。モータ３９が駆動することで、蛍光体ホイール３８が、回転軸Ｍを中心として回転する。
【００７１】
モータ３９により基板４１が回転されている状態で、光源ユニット１０から青色レーザ光Ｂ２が出射される。青色レーザ光Ｂ２は、光学系ユニット２０により集光され、入射口３５を介して蛍光体層４２に照射される。青色レーザ光Ｂ２は、基板４１の回転に合わせて、相対的に円を描くように蛍光体層４２に照射される。
【００７２】
これにより図６に示すように、蛍光体層４２を透過した青色レーザ光Ｂ３と、蛍光体層４２からの可視光である緑色光Ｇ３及び赤色光Ｒ３とを含む白色光Ｗが出射される。白色光Ｗは、出射レンズ３４（出射口３６）を介して、図３及び図４に示す光軸Ｌに沿って出射される。本実施形態において、白色光Ｗは、複数のレーザ光源１３からの光と蛍光体層４２からの可視光とを含む光に相当する。
【００７３】
なお各ユニットのベース部５０への接続するための構成や方法、各ユニット同士を接続するための構成や方法は限定されず、嵌合、接着、ネジ／ビス留め等、任意の構成及び方法が採用されてよい。
【００７４】
［冷却構造（塵埃の影響）］
図１を参照して説明したように、本実施形態では、吸気口４５２から外部の空気が冷却風として吸入され、画像表示装置５００の内部に供給される。吸入された外部の空気は画像生成部２００及び光源部１００を冷却し、排気口４５３から外部に排出される。
【００７５】
画像表示装置５００の内部には、外部の空気の流路を適正に形成するための冷却構造が構成されている。例えば冷却構造は、ダクト等の空気を誘導するための任意の部材を用いることで実現される。また各機構の位置や、各機構に空気を通す開口や孔等を形成すること等により、任意の冷却構造を実現することが可能である。
【００７６】
本実施形態では、画像生成部２００の内部を外部の空気が進行し、図２に示す画像生成部２００内の各素子が効率よく冷却されるように、冷却構造が構成されている。すなわち画像生成部２００の内部が外部の空気の流路となるように冷却構造が、適宜設計されている。もちろん画像生成部２００内の各素子において、内部への塵埃の進入を防ぐ等の構成が個別に実現されていてもよい。
【００７７】
光源部１００については、ヒートシンク１２に外部の空気が効率よく吹き付けられるように、冷却構造が構成される。一方、光源部１００の前方側の空間には、外部の空気が吹き付けられないように冷却構造が構成される。すなわち本実施形態では、光源部１００の前方側の空間への外部の空間への進入が規制されている。
【００７８】
ここで図２に示すように、画像生成部２００の内部の領域Ｆ１、光源部１００の後方側のヒートシンク１２が位置する領域Ｆ２、及び光源部１００の前方側の領域Ｆ３を比較する。本実施形態では、画像生成部２００の内部の領域Ｆ１、及び光源部１００の後方側の領域Ｆ２が、相対的に塵埃の影響が大きい領域となる。一方、光源部１００の前方側の領域Ｆ１は、相対的に塵埃の影響が小さい領域となる。
【００７９】
塵埃の影響が大きい領域は、典型的には、塵埃量が多い領域である。例えば吸気口４５２から吸入される外部の空気の流路に設けられる領域や、外部の空気の流路の近傍に設けられる領域が、塵埃の影響の大きい領域となる。
【００８０】
塵埃の影響が小さい領域は、典型的には、塵埃量が少ない領域である。例えば外部の空気の流路から離れた位置に設けられる領域や、密閉された空間や外部の空気の進入が規制された空間に設けられる領域が、塵埃の影響の小さい領域となる。
【００８１】
例えば画像表示装置５００の内部の冷却構造を適宜設計することで、画像表示装置５００内の任意の領域を、塵埃の影響の大きい領域、又は塵埃の影響の小さい領域にそれぞれ設定することが可能である。
【００８２】
以下、画像表示装置５００内の互いに異なる領域について、相対的に塵埃の影響が大きい領域を第１の領域と記載する。また相対的に塵埃の影響が小さい領域を、第２の領域と記載する。当然のことながら、第２の領域は、第１の領域よりも塵埃の影響が小さい領域となる。
【００８３】
典型的には、画像表示装置５００内の塵埃の影響が大きい領域に第１の領域を設定し、塵埃の影響が小さい領域に第２の領域を設定する。これにより第１の領域と、第１の領域よりも塵埃の影響が小さい第２の領域とを容易に設定することが可能となる。これに限定されず、塵埃の影響の大きさに差がある２つの任意の領域に対して、第１及び第２の領域をそれぞれ設定することも可能である。
【００８４】
例えば画像表示装置５００内の任意の領域を第１の領域として設定し、その領域よりも塵埃の影響が小さい領域を第２の領域として設定してもよい。逆に、画像表示装置５００内の任意の領域を第２の領域として設定し、その領域よりも塵埃の影響が大きい領域を第１の領域として設定してもよい。
【００８５】
本実施形態では、画像生成部２００の内部の領域Ｆ１が、第１の領域として設定される。そして、光源部１００の前方側の領域Ｆ３が第２の領域として設定される。図４等に示す密閉空間Ｓ１やＳ２内に、第２の領域を設定することも可能である。
【００８６】
［センサ機構］
図１及び図２の示すように、センサ機構４７０の第１のセンサ部４７１は、画像生成部２００内の領域Ｆ１に配置される。すなわち第１のセンサ部４７１は、相対的に塵埃の影響が大きい第１の領域に配置される。
【００８７】
図２に示すように本実施形態では、第１のセンサ部４７１は、赤色光Ｒ１を反射するダイクロイックミラー２５０の背面側（反射面とは反対側の面）の近傍に配置される。そしてダイクロイックミラー２５０により反射されず、ダイクロイックミラー２５０を透過する赤色光Ｒ１の漏れ光の強度が検出される。すなわち本実施形態では、第１のセンサ部４７１により、検出対象である白色光Ｗに含まれる赤色光Ｒ１の強度が検出される。以下、第１のセンサ部による検出結果を第１の検出結果と記載する場合がある。
【００８８】
図１〜図４及び図６に示すように、第２のセンサ部４７２は、光源部１００の前方側の領域Ｆ３に配置される。すなわち第２のセンサ部４７２は、相対的に塵埃の影響が小さい第２の領域に配置される。
【００８９】
図３、図４、及び図６に示すように、本実施形態では、第２のセンサ部４７２は、塵埃の影響が小さい領域Ｆ３内の、蛍光体ユニット３０の筐体部３１に形成された窓部３７に対向する位置に配置される。そして窓部３７から出射される漏れ光Ｗ'の強度が検出される。漏れ光Ｗ'は、青色レーザ光Ｂ３、緑色光Ｇ３及び赤色光Ｒ３を含む、白色光Ｗの漏れ光である。すなわち本実施形態では、第２のセンサ部４７２により、検出対象である白色光Ｗの漏れ光Ｗ'の強度が検出される。以下、第２のセンサ部による検出結果を第２の検出結果と記載する場合がある。
【００９０】
［輝度一定制御］
本実施形態では、光源制御部４９１により、輝度一定制御が実行される。輝度一定制御とは、光源部１００から出射される白色光Ｗの強度が一定に維持されるように、光源部１００を制御することである。
【００９１】
なお本開示において、「一定」とは、「実質的に一定」を含む概念とする。すなわち「一定」とは、完全に一定な状態に限定されず、実質的に一定な状態（例えば変化の割合が±１０％の範囲に含まれる状態等）も含まれる。
【００９２】
本実施形態では、輝度一定制御として、第１のセンサ部４７１による第１の検出結果、及び第２のセンサ部４７２による第２の検出結果に基づいて、複数のレーザ光源１３に供給されるＬＤ電流値が制御される。すなわち赤色光Ｒ１の強度、及び白色光Ｗの漏れ光Ｗ'の強度に基づいて、輝度一定制御が実行される。
【００９３】
図７は、第２の検出結果に基づいた輝度一定制御の一例を示すフローチャートである。まず輝度調整時の輝度の初期値がコントローラ４９０のメモリ等に保存される（ステップ１０１）。
【００９４】
例えば画像表示装置５００の工場出荷時等に、輝度調整が実行される。例えば目標となる輝度にて画像が表示されるように、ＬＤ電流値が制御される。目標となる輝度にて画像が表示されている場合に、第２のセンサ部４７２により検出される検出結果である白色光Ｗの漏れ光Ｗ'の強度が、輝度の初期値としてメモリ等に保存される。
【００９５】
またはユーザにより輝度調整が実行されてもよい。例えば輝度調整モードが選択され、ボタン操作等により画像の輝度が制御される。所望の輝度の画像が表示されている状態で、調整完了の旨の操作が入力される。その際に、第２のセンサ部４７２により検出される検出結果である白色光Ｗの漏れ光Ｗ'の強度が、輝度の初期値としてメモリ等に保存される。
【００９６】
本実施形態において、輝度の初期値は、第２のセンサ部４７２に関する第２の参照情報に相当する。また輝度調整の完了時に照射されている白色光Ｗは、基準となる状態の出射光に相当する。もちろん輝度調整時に第２の参照情報が生成される場合に限定されず、任意の状態の白色光Ｗを基準となる状態の出射光として、第２の参照情報を生成することが可能である。
【００９７】
あるいは、輝度調整等が実行されず、予め定められた強度の値が、第２の参照情報としてメモリ等に保存されていてもよい。
【００９８】
第２のセンサ部４７２の検出値が取得される。すなわち白色光Ｗの漏れ光Ｗ'の強度が、第２のセンサ部４７２による第２の検出結果として取得される（ステップ１０２）。取得された検出値と、メモリ等に保存されている初期値とが比較される（ステップ１０３）。
【００９９】
初期値と検出値との間に一定以上のズレがある場合には、ＬＤ電流値が調整される（ステップ１０４）。例えば初期値に比べて検出値が低い場合には、ＬＤ電流値が増加される。これにより複数のレーザ光源１３から出射される青色レーザ光Ｂ２の強度が増加される。初期値に比べて検出値が高い場合には、ＬＤ電流値が減少される。これにより複数のレーザ光源１３から出射される青色レーザ光Ｂ２の強度が減少される。ＬＤ電流値の制御が完了すると、ステップ１０２に戻る。
【０１００】
初期値と検出値との間に一定以上のズレがない場合には、ＬＤ電流値は調整されず、ステップ１０２に戻る。ステップ１０２、１０３及び１０４のループを、所定の間隔で繰り返すことにより、輝度一定制御が実現される。
【０１０１】
一定以上のズレを規定するための具体的な閾値等は限定されず、任意に設定されてよい。またズレに対するＬＤ電流値の増減量も限定されず、任意に設定されてよい。例えば１回のループで調整されるＬＤ電流値の増減量が固定されていてもよい。あるいはズレの大きさに応じて、ループごとに増減量が適宜制御されてもよい。
【０１０２】
このように、第２の検出結果及び第２の参照情報に基づいて、輝度一定制御を実行することが可能である。
【０１０３】
図８は、第１及び第２の検出結果に基づいた輝度一定制御の一例を示すフローチャートである。図９は、第１及び第２の検出結果に基づいた輝度一定制御の基本概念を説明するための模式的なグラフである。
【０１０４】
第１及び第２のセンサ部４７１及び４７２の各々について、輝度調整時の輝度の初期値がコントローラ４９０のメモリ等に保存される（ステップ２０１、２０２）。すなわち基準となる状態の白色光Ｗが出射される場合に、第１のセンサ部４７１により検出される検出結果である赤色光Ｒの強度が、第１のセンサ部４７１関する輝度の初期値（以下、第１の初期値と記載する）として記憶される。
【０１０５】
また基準となる状態の白色光Ｗが出射される場合に、第２のセンサ部４７２により検出される検出結果である白色光Ｗの漏れ光Ｗ'の強度が、第２のセンサ部４７２に関する輝度の初期値（以下、第２の初期値と記載する）として記憶される。典型的には、第１の初期値、及び第２の初期値は、同じタイミングで取得される。
【０１０６】
図９に示す例では、工場出荷時の輝度調整時に、第１及び第２の初期値がそれぞれ取得されている。もちろんこれに限定されず、任意の状態の白色光Ｗを、基準となる状態の出射光として、第１及び第２の初期値が取得されてよい。
【０１０７】
第１の初期値は、第１のセンサ部４７１に関する第１の参照情報に相当する。もちろん、予め定められた強度の値が、第１の参照情報としてメモリ等に保存されていてもよい。
【０１０８】
図９を参照して、第１及び第２の検出結果に基づいた輝度一定制御の基本概念を説明する。第２のセンサ部４７２は、塵埃の影響が小さい第２の領域に配置されている。従って第２のセンサ部４７２の検出値の、第２の初期値からの低下分（輝度低下分）は、主にレーザ光源１３の経年劣化を原因とした光源劣化分に相当する。従って図７に示すように、第２のセンサ部４７２の検出値に基づいてＬＤ電流値を制御することで、輝度一定制御を実行することが可能である。
【０１０９】
一方、第１のセンサ部４７１は、塵埃の影響が大きい第１の領域に配置されている。従って第１のセンサ部４７１の検出値の、第１の初期値からの低下分（輝度低下分）は、レーザ光源１３の経年劣化を原因とした光源劣化分と、第１のセンサ部４７１に付着する塵埃を原因とする塵埃影響分との両方を含む可能性がある。本実施形態では、この塵埃影響分を考慮した精度の高い輝度一定制御を実現することが可能である。
【０１１０】
そのために本実施形態では、第１の初期値と、第２の初期値との相関が計算されメモリ等に保存される（ステップ２０３）。典型的には、第１及び第２の初期値の相関として、第１及び第２の初期値の差が計算され、メモリ等に記憶される。
【０１１１】
第１のセンサ部４７１の検出値が取得される。すなわち赤色光Ｒの強度が、第１のセンサ部４７１による第１の検出結果として取得される（ステップ２０４）。また第２のセンサ部４７２の検出値が取得される。すなわち白色光Ｗの漏れ光Ｗ'の強度が、第２のセンサ部４７２による第２の検出結果として取得される（ステップ２０５）。
【０１１２】
取得された第１及び第２の検出値の相関が計算される（ステップ２０６）。典型的には、ステップ２０３の相関計算と同様の計算が実行され、本実施形態では第１及び第２の検出値の差が計算される。
【０１１３】
ステップ２０３にて保存された第１及び第２の初期値の相関と、ステップ２０６にて計算された第１及び第２の検出値の相関とが比較される（ステップ２０７）。本実施形態では、第１及び第２の初期値の差と、第１及び第２の検出値の差とが比較される。
【０１１４】
１及び第２の初期値の差と、第１及び第２の検出値の差との間に差異がない場合は、第１及び第２のセンサ部４７１及び４７２の各々において、検出値の初期値からの低下分が略同様であることに相当する。従ってこの場合は、第１のセンサ部４７１においても、第２のセンサ部４７２と同様に、検出値の輝度低下分は、レーザ光源１３の光源劣化分に相当するものと判断可能である。
【０１１５】
従って第１のセンサ部４７１の検出値に基づいて、ＬＤ電流制御が実行される（ステップ２０８）。具体的には、図７に示すステップ１０２、１０３及び１０４のループが、第１のセンサ部４７１の検出値、及び第１の初期値に基づいて実行される。
【０１１６】
第１及び第２の初期値の差と、第１及び第２の検出値の差との間に差異がある場合は、第１及び第２のセンサ部４７１及び４７２の各々において、検出値の初期値からの低下分に差異がある場合に相当する。この場合は、第１のセンサ部４７１において、検出値の輝度低下分に、塵埃影響分が含まれていると判断することが可能である。
【０１１７】
この場合、第１のセンサ部４７１の検出値が補正される（ステップ２０９）。典型的には、第１及び第２の初期値の相関が維持されように、第１のセンサ部４７１の検出値が補正される。すなわち第１及び第２の検出値の差が、第１及び第２の初期値の差と略同様となるように、第１のセンサ部４７１の検出値が補正される。
【０１１８】
そして補正された検出値に基づいて、ＬＤ電流制御が実行される。具体的には、図７に示すステップ１０２、１０３及び１０４のループが、補正された第１のセンサ部の検出値、及び第１の初期値に基づいて実行される。
【０１１９】
このように本実施形態では、ステップ２０３にて保存された第１及び第２の初期値の相関と、ステップ２０６にて計算された第１及び第２の検出値の相関とが比較される。これにより塵埃の影響が大きい第１の領域に配置された第１のセンサ部４７１の検出値の輝度低下分に、塵埃影響分が含まれるか否かを判断することが可能となる。この結果、塵埃影響分を除いた光源劣化分に応じて、高い精度で輝度一定制御を実行することが可能となる。
【０１２０】
本実施形態において、図８に例示する輝度一定制御は、第１のセンサ部４７１による第１の検出結果、第２のセンサ部４７２による第２の検出結果、記憶された第１の参照情報、及び記憶された第２の参照情報に基づいた光源部の制御に相当する。
【０１２１】
なお第１及び第２の初期値の相関の計算方法、第１及び第２の検出結果の相関の計算方法、第１の検出結果の補正方法等は限定されず、任意のアルゴリズムや任意の関数等が用いられてよい。さらにいえば、塵埃の影響の大きい領域にて検出される第１の検出結果と、塵埃の影響が小さい領域にて検出される第２の検出結果に基づいて、第１の検出結果から塵埃影響分を取り除いて光源劣化分を抽出する方法も限定されない。
【０１２２】
例えばＤＮＮ（Deep NeuralNetwork：深層ニューラルネットワーク）等を用いた任意の機械学習アルゴリズムが用いられてもよい。例えばディープラーニング（深層学習）を行うＡＩ（人工知能）等を用いることで、輝度一定制御の精度を向上させることが可能となる。
【０１２３】
また図９に示すグラフは、模式的なグラフである。例えば光源の素子劣化を原因とする輝度の低下等は、１次関数的な低下となる場合に限定されない。例えば光源の特性や温度等に応じて、様々な態様で輝度の低下が発生し得る。
【０１２４】
以上、本実施形態に係る画像表示装置５００では、第１の領域に第１のセンサ部４７１が配置され、第１の領域よりも塵埃の影響が小さい第２の領域に第２のセンサ部４７２が配置される。第１及び第２のセンサ部４７１及び４７２の各々の検出結果を利用することで、光源部１００を高精度に制御することが可能となる。
【０１２５】
塵埃の影響が大きい領域に輝度センサ等を設置した場合、同じ輝度の光を受光した場合でも、塵埃の付着等により検出値が低くなってしまうことがあり得る。実際よりも低い検出値をフィードバックすると、必要以上に輝度を出そうとしてＬＤ電流値を過補正してしまい、ＬＤの早期劣化やＬＤの破損等につながる恐れがある。この結果、装置の寿命も短くなってしまい、装置の品質が低下してしまう。
【０１２６】
本実施形態では、第１及び第２の検出結果と、第１及び第２の初期値とを用いて、塵埃の影響が大きい領域に配置された第１のセンサ部４７１の検出結果を補正することが可能である。この結果、塵埃影響分を除いた光源劣化分に基づいて、高精度の光源一定制御が実現可能となる。
【０１２７】
例えば図７に示す輝度一定制御を主に実行し、必要に応じて図８に示す輝度一定制御を実行する、といったことも可能である。あるいは図７に示す輝度一定制御により算出されたＬＤ電流値と、図８に示す輝度一定制御により算出されたＬＤ電流値とをともに算出し、実際に供給されるＬＤ電流値を算出する、といったことも可能である。
【０１２８】
本実施形態では、第１のセンサ部４７１により赤色光Ｒ１の強度が検出され、第２のセンサ部４７２により白色光Ｗの漏れ光Ｗ'の強度が検出された。これに限定される訳ではない。
【０１２９】
例えば図１に示すインテグレータ光学系２１０が配置される領域への外部の空気の進入を規制して、塵埃の影響が小さい第２の領域を設定する。当該領域に第２のセンサ部４７２を配置し、偏光変換素子２１２から出射される白色光Ｗの漏れ光等の強度が検出されてもよい。
【０１３０】
また画像生成部２００内を塵埃の影響が大きい領域として、ダイクロイックミラー２７０の背面側に第１のセンサ部４７１が配置されてもよい。そして第１のセンサ部４７１により、青色光Ｂ１の強度が検出されてもよい。なお赤色光Ｒ１の方が、強度の変化を高精度に検出することが可能である。
【０１３１】
塵埃の影響が大きい領域の内部にて塵埃量に差がある場合には、塵埃量が多い領域を第１の領域として、塵埃量が小さい領域を第２の領域として設定することも可能である。そして図８等に例示するような、本技術に係る輝度一定制御を実行することが可能である。この場合、第１及び第２の検出結果のいずれにも塵埃影響分が含まれる可能性がある。しかしながら塵埃量が多い第１の領域にて検出された検出結果のみに基づいて輝度一定制御を実行する場合と比べて、ＬＤ電流値の過補正等を抑制することが可能である。
【０１３２】
また、塵埃の影響が小さい領域の内部にて塵埃量に差がある場合に、塵埃量が多い領域を第１の領域として、塵埃量が小さい領域を第２の領域として設定することも可能であり、
【０１３３】
＜その他の実施形態＞
本技術は、以上説明した実施形態に限定されず、他の種々の実施形態を実現することができる。
【０１３４】
上記では、出射光の状態として、出射光の強度（輝度）が検出された。そして第１及び第２の検出結果に基づいた光源部の制御として輝度一定制御が実行された。これに限定されず、出射光の状態として、色度や光束の形状（光束の大きさ（断面積）を含む）等の他のパラメータが検出されてもよい。そして光源部の制御として、色度の制御や光束の制御等が実行されてもよい。
【０１３５】
塵埃の影響が大きい領域にセンサ部（第１のセンサ部）が配置される場合であっても、塵埃の影響が小さい領域に配置されるセンサ部（第２のセンサ部）の検出結果を利用することで、高い精度で光源部を制御することが可能である。当然のことながら、光源の状態として取得したいパラメータに対応するセンサ部（例えば色度センサ等）が用いられればよい。
【０１３６】
光源部から出射される出射光の強度が、安全規格等に定められた規定値を超えたか否かを監視し、規定値を超えた場合にはＬＤ電流値の供給を停止する処理が実行可能であってもよい。この場合、本技術を適用することで、塵埃影響分を除いた出射光の強度を検出することが可能であるので、使用時の安全性を非常に高く維持することが可能である。
【０１３７】
第１のセンサ部による第１の検出結果、第２のセンサ部による第２の検出結果、記憶された第１の参照情報、及び記憶された第２の参照情報に基づいて、塵埃に関する塵埃情報が生成されてもよい。例えば画像表示装置内における塵埃の影響度等を、塵埃情報として生成可能である。塵埃情報に基づいて、例えば装置の使用状態に関する情報や、使用環境に関する情報等を、ユーザに報知する、といったことも可能となる。
【０１３８】
各図面を参照して説明した画像表示装置、光源部、画像生成部、投射部等の各構成、光源部の制御フロー等はあくまで一実施形態であり、本技術の趣旨を逸脱しない範囲で、任意に変形可能である。すなわち本技術を実施するための他の任意の構成やアルゴリズム等が採用されてよい。
【０１３９】
また、以上説明した本技術に係る特徴部分のうち、少なくとも２つの特徴部分を任意に組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１４０】
なお、本技術は以下のような構成も採ることができる。
（１）出射光を出射する光源部と、
第１の領域に配置され、前記出射光の状態を検出可能な第１のセンサ部と、
前記第１の領域よりも塵埃の影響が小さい第２の領域に配置され、前記出射光の状態を検出可能な第２のセンサ部と、
前記第１のセンサ部による第１の検出結果、及び前記第２のセンサ部による第２の検出結果に基づいて、前記光源部を制御可能な光源制御部と
を具備する画像表示装置。
（２）（１）に記載の画像表示装置であって、
前記第２の領域は、前記第１の領域よりも塵埃量が少ない領域である
画像表示装置。
（３）（１）又は（２）に記載の画像表示装置であって、さらに、
外部の空気を吸入する吸気口を有する筐体部を具備し、
前記第１の領域は、前記吸気口から吸入される前記外部の空気の流路、又は前記外部の空気の流路の近傍に設けられ、
前記第２の領域は、前記外部の空気の流路から離れた位置に設けられる
画像表示装置。
（４）（１）から（３）のうちいずれか１つに記載の画像表示装置であって、
前記第２の領域は、密閉された空間、又は前記外部の空気の進入が規制された空間に設けられる
画像表示装置。
（５）（１）から（４）のうちいずれか１つに記載の画像表示装置であって、
前記光源制御部は、前記光源部から出射される前記出射光の強度が一定に維持されるように、前記光源部を制御する
画像表示装置。
（６）（１）から（５）のうちいずれか１つに記載の画像表示装置であって、
前記光源部は、電流が供給されることにより駆動する１以上の光源を有し、
前記光源制御部は、前記第１の検出結果、及び前記第２の検出結果に基づいて、前記１以上の光源に供給される電流を制御する
画像表示装置。
（７）（１）から（６）のうちいずれか１つに記載の画像表示装置であって、さらに、
前記第１のセンサ部に関する第１の参照情報、及び前記第２のセンサ部に関する第２の参照情報を記憶する記憶部を具備し、
前記光源制御部は、前記第１の検出結果、前記第２の検出結果、前記記憶された第１の参照情報、及び前記記憶された第２の参照情報に基づいて、前記光源部を制御する
画像表示装置。
（８）（７）に記載の画像表示装置であって、
前記光源制御部は、前記第１の参照情報と前記第２の参照情報との相関、及び前記第１の検出結果と前記第２の検出結果との相関に基づいて、前記光源部を制御する
画像表示装置。
（９）（７）又は（８）に記載の画像表示装置であって、
前記第１の参照情報は、基準となる状態の前記出射光が出射される場合に前記第１のセンサ部により検出される検出結果であり、
前記第２の参照情報は、前記基準となる状態の前記出射光が出射される場合に前記第２のセンサ部により検出される検出結果である
画像表示装置。
（１０）（７）から（９）のうちいずれか１つに記載の画像表示装置であって、
前記光源制御部は、前記第１の検出結果、前記第２の検出結果、前記記憶された第１の参照情報、及び前記記憶された第２の参照情報に基づいて、前記第１の検出結果を補正する
画像表示装置。
（１１）（１０）に記載の画像表示装置であって、
前記光源部は、電流が供給されることにより駆動する１以上の光源を有し、
前記光源制御部は、前記補正された前記第１の検出結果に基づいて、前記１以上の光源に供給される電流を制御する
画像表示装置。
（１２）（１）から（１１）のうちいずれか１つに記載の画像表示装置であって、
前記光源部は、電流が供給されることにより駆動する１以上の光源を有し、
前記光源制御部は、前記第２の検出結果に基づいて、前記１以上の光源に供給される電流を制御する
画像表示装置。
（１３）（１）から（１２）のうちいずれか１つに記載の画像表示装置であって、
前記光源部は、１以上の光源と、前記１以上の光源から出射される光により励起され可視光を発する発光体とを有し、前記１以上の光源からの光と前記発光体からの可視光とを含む光を、前記出射光として出射する
画像表示装置。
（１４）（１３）に記載の画像表示装置であって、
前記光源部は、窓部を有し内部に密閉された空間を形成する密閉部を有し、
前記発光体は、前記密閉された空間に配置され、
前記第２のセンサ部は、前記密閉部の前記窓部に対向して配置される
画像表示装置。
（１５）（１）から（１４）のうちいずれか１つに記載の画像表示装置であって、さらに、
前記光源部から出射された前記出射光に基づいて画像を生成する画像生成部と、
前記画像生成部により生成された画像を投射する投射部と
を具備する画像表示装置。
【符号の説明】
【０１４１】
Ｂ２…青色レーザ光
Ｆ１…画像生成部の内部の領域
Ｆ３…光源部の前方側の領域
Ｒ１…赤色光
Ｗ…白色光
Ｗ'…白色光の漏れ光
１３…レーザ光源
３１…筐体部
３７…窓部
３８…蛍光体ホイール
４２…蛍光体層
１００…光源部
２００…画像生成部
４００…投射部
４５０…筐体部
４５２…吸気口
４５３…排気口
４７０…センサ機構
４７１…第１のセンサ部
４７２…第２のセンサ部
４９０…コントローラ
４９１…光源制御部
５００…画像表示装置
【図１】
2019111492.tif 000003
【図２】
2019111492.tif 000004
【図３】
2019111492.tif 000005
【図４】
2019111492.tif 000006
【図５】
2019111492.tif 000007
【図６】
2019111492.tif 000008
【図７】
2019111492.tif 000009
【図８】
2019111492.tif 000010
【図９】
2019111492.tif 000011
【国際調査報告】
2019111492.tif 000012
2019111492.tif 000013
2019111492.tif 000014
2019111492.tif 000015